(57)【要約】  発光ダイオード１５を有する照明部１０と、照明部１０を、手術を受ける生体に固定する固定用の針１１とを備えている。照明部１０の光が術野に直接当たるように照明部１０を配置してから、針１１を生体組織に刺して照明部１０を生体に固定する。
2010050244.tif 000002
【特許請求の範囲】
【請求項１】
発光体を有する照明部と、
上記照明部を手術を受ける生体に固定するための固定部とを備えていることを特徴とする手術用照明システム。
【請求項２】
発光体を有する照明部と、
上記照明部を手術を受ける生体へ導入する操作を行うための操作部とを備えていることを特徴とする手術用照明システム。
【請求項３】
発光体を有する照明部を備え、
上記照明部を手術を受ける生体に置くように構成されていることを特徴とする手術用照明システム。
【請求項４】
請求項１に記載の手術用照明システムにおいて、
固定部は、照明部から突出する針であることを特徴とする手術用照明システム。
【請求項５】
請求項１に記載の手術用照明システムにおいて、
照明部の発光体と固定部との間には、断熱材が設けられていることを特徴とする手術用照明システム。
【請求項６】
請求項１に記載の手術用照明システムにおいて、
生体外へ延びるように形成された取り出し部材を備えていることを特徴とする手術用照明システム。
【請求項７】
請求項１から６のいずれか１つに記載の手術用照明システムにおいて、
照明部及び固定部を生体の腔内に案内する案内具を備えていることを特徴とする手術用照明システム。
【請求項８】
請求項１から７のいずれか１つに記載の手術用照明システムにおいて、
発光体に接続される電池を内蔵していることを特徴とする手術用照明システム。
【請求項９】
請求項１から８のいずれか１つに記載の手術用照明システムにおいて、
撮影部を備えていることを特徴とする手術用照明システム。
【請求項１０】
請求項１から９のいずれか１つに記載の手術用照明システムにおいて、
固定部は、生体の切開部を覆うようにして該生体に固定される保護具で構成され、該保護具に照明部が取り付けられていることを特徴とする手術用照明システム。
【請求項１１】
請求項１から１０のいずれか１つに記載の手術用照明システムにおいて、
発光体は発光ダイオードまたは有機ＥＬで構成されていることを特徴とする手術用照明システム。
【発明の詳細な説明】
【技術分野】
【０００１】
本発明は、生体を手術する際に用いられる手術用照明システムに関する。
【背景技術】
【０００２】
従来より、手術時に用いられる照明器具としては、例えば、無影灯が知られている（例えば、特許文献１参照）。この無影灯は、多数のランプを有するランプユニットを備えており、このランプユニットは、通常、手術室の天井に可動機構を介して取り付けられている。そして、実際に手技を行う医師の要求に合うようにランプユニットの位置を調整して使用されている。【０００３】
また、従来より、腹腔内や胸腔内の外科手術の際に、腹腔鏡下手術や胸腔鏡下手術が行われている。腹腔鏡下手術や胸腔鏡下手術では、例えば、特許文献２、３に開示されているようなトロッカーと呼ばれる器具が用いられている。トロッカーは、直管形状の導管と、導管内に挿入される内針とからなる。このトロッカーを使用する場合には、まず、皮膚に５ｍｍ〜２０ｍｍ程度の小切開を加え、内針を導管に挿入したまま、内針を皮膚の小切開部分に押し付けて内針及び導管を一緒に体表側組織を貫通させて腹腔や胸腔内へ差し込む。その後、内針を導管から抜き、腹腔鏡や胸腔鏡、鉗子、電気メス、縫合器等の手術器具を導管に差し込むことで手術手技を行うことができる。【０００４】
また、腹腔鏡下手術や胸腔鏡下手術とは別に、胸部や腹部を切開して開放して行われる手術も一般に行われている。
【先行技術文献】
【特許文献】
【０００５】
【特許文献１】特開２００６−１４７４８２号公報
【特許文献２】特開平８−１６８４６５号公報
【特許文献３】特開２００６−８７６０９号公報
【発明の概要】
【発明が解決しようとする課題】
【０００６】
しかしながら、腹腔鏡下手術や胸腔鏡下手術では、胸部や腹部を開放しないので、天井に設置されている照明の光が腔内（胸腔内や腹腔内）に届かない。そのため、トロッカーを介して腔内に挿入した内視鏡の光でしか腔内を照明することができず、十分な明るさを広範囲に確保できない。よって、術者は、手技をスムーズに行うのが困難となる。【０００７】
また、胸部や腹部を開放して行う一般の手術の場合には、無影灯からの光が術野に照射されることになるが、無影灯は術野の上方から照射するだけなので、腔内の奥の方まで光が届かないことがある。この場合も、手技をスムーズに行うのが困難になる。【０００８】
本発明は斯かる点に鑑みてなされたものであり、その目的とするところは、手術時に術野を広範囲に直接照明できるようにして、手技をスムーズに行えるようにすることにある。
【課題を解決するための手段】
【０００９】
上記目的を達成するために、第１の発明では、発光体を有する照明部と、上記照明部を手術を受ける生体に固定するための固定部とを備えている構成とする。【００１０】
この構成によれば、固定部により照明部を生体に固定することが可能になる。この照明部を、例えば、トロッカーを介して胸腔内や腹腔内まで導入し、生体組織に固定することで、腔内を広範囲に亘って十分な明るさで照明することが可能になる。【００１１】
また、胸部や腹部を開放して行う一般の手術の場合には、胸腔や腹腔の奥の方に向けて光が届くように発光体の向きを設定して照明部を生体組織に固定することにより、腔内の奥の方まで十分な明るさで照明することが可能になる。【００１２】
第２の発明では、発光体を有する照明部と、上記照明部を手術を受ける生体へ導入する操作を行うための操作部とを備えている構成とする。【００１３】
この構成によれば、術者が操作部を操作することにより照明部を生体へ導入することが可能になる。この照明部により、第１の発明と同様に、生体の腔内を照明することが可能になる。【００１４】
第３の発明では、発光体を有する照明部を備え、上記照明部を手術を受ける生体に置くように構成されているものとする。【００１５】
この構成によれば、照明部を生体に置いて使用することが可能になる。この照明部により、第１の発明と同様に、生体の腔内を照明することが可能になる。【００１６】
第４の発明では、第１の発明において、固定部は、照明部から突出する針である構成とする。【００１７】
この構成によれば、針を生体組織に刺すだけで照明部を固定することが可能になる。【００１８】
第５の発明では、第１の発明において、照明部の発光体と固定部との間には、断熱材が設けられている構成とする。【００１９】
この構成によれば、発光体の熱が生体組織に伝わり難くなる。【００２０】
第６の発明では、第１の発明において、生体外へ延びるように形成された取り出し部材を備えている構成とする。【００２１】
この構成によれば、照明部が腔内にある場合に、取り出し部材が生体外に延びるようになるので、取り出し部材を引っ張ることにより、照明部を生体外へ容易に取り出すことが可能になる。また、取り出し部材が生体外に延びていることで、照明部が腔内に残っていることの目印にもなる。【００２２】
第７の発明では、第１から６のいずれか１つの発明において、照明部及び固定部を生体の腔内に案内する案内具を備えている構成とする。【００２３】
この構成によれば、照明部を腔内に固定する場合に、照明部及び固定部が案内具で腔内に案内されるので、照明部を容易に固定することが可能になる。【００２４】
第８の発明では、第１から７のいずれか１つの発明において、発光体に接続される電池を内蔵している構成とする。【００２５】
この構成によれば、電池により発光体に電力を供給することが可能になるので、外部から電力を供給するための配線やコネクタ等が不要になる。【００２６】
第９の発明では、第１から８のいずれか１つの発明において、撮影部を備えている構成とする。【００２７】
この構成によれば、発光体の光で照らした部位を撮影部により撮影することが可能になる。【００２８】
第１０の発明では、第１から９のいずれか１つの発明において、固定部は、生体の切開部を覆うようにして該生体に固定される保護具で構成され、該保護具に照明部が取り付けられている構成とする。【００２９】
この構成によれば、照明部を、切開部の保護具を介して生体に固定することが可能になる。【００３０】
第１１の発明では、第１から１０のいずれか１つの発明において、発光体は発光ダイオードまたは有機ＥＬで構成されているものとする。【００３１】
この構成によれば、照明部をコンパクトにしながら、十分な光量を得ることが可能になる。また、発光ダイオード及び有機ＥＬは発熱量が小さいので、発光体から発生する熱が生体組織に与える影響を小さくすることが可能になる。
【発明の効果】
【００３２】
第１の発明によれば、発光体を有する照明部と、該照明部を手術を受ける生体に固定する固定部とを備えているので、様々な手術の際に術野を十分な明るさで広範囲に亘って照明でき、手技をスムーズに行うことができる。【００３３】
第２の発明によれば、発光体を有する照明部と、照明部を手術を受ける生体へ導入する操作を行うための操作部とを備えているので、第１の発明と同様に術野を十分な明るさで広範囲に亘って照明でき、手技をスムーズに行うことができる。【００３４】
第３の発明によれば、発光体を有する照明部を備え、照明部を手術を受ける生体に置くことができるようにしたので、第１の発明と同様に術野を十分な明るさで広範囲に亘って照明でき、手技をスムーズに行うことができる。【００３５】
第４の発明によれば、固定部を針で構成したので、針を生体組織に刺すだけで照明部を任意の位置に固定することができ、照明部の固定作業を容易にすることができる。【００３６】
第５の発明によれば、照明部の発光体と固定部との間に断熱材を設けたので、発光体の熱が生体組織に伝わり難くなり、生体組織に熱による影響を殆ど与えずに済み、より一層低侵襲な治療を行うことができる。【００３７】
第６の発明によれば、生体外へ延びるように形成された取り出し部材を備えているので、腔内に照明部がある場合に、取り出し部材を引っ張ることで照明部を腔内から容易に取り外すことができる。また、生体外に延びている取り出し部材が、照明部が腔内に残っていることの目印としても機能し、照明部が腔内に残されたままとなるのを防止でき、医療行為の安全性を高めることができる。【００３８】
第７の発明によれば、照明部及び固定部を腔内に案内する案内具を備えているので、照明部を腔内に容易に導入して固定することができ、照明部の固定作業性を良好にできる。【００３９】
第８の発明によれば、電池を内蔵したことで、照明部の発光体に外部から電力を供給するための配線やコネクタ等を不要にでき、腔内への固定作業性を良好にできる。【００４０】
第９の発明によれば、発光体の光で照明した部位を撮影部で撮影することができるので、手技に役立つ鮮明な画像を得ることができる。【００４１】
第１０の発明によれば、生体の切開部を覆うように生体に固定される保護具に照明部を固定するようにしたので、照明部を生体に固定するにあたり、生体組織に傷等を付ける虞れはなく、低侵襲に固定することができる。【００４２】
第１１の発明によれば、照明部の発光体を発光ダイオードまたは有機ＥＬで構成したので、照明部をコンパクトにでき、しかも、発光体から発生する熱量が少なくなって、照明部を固定したことによる生体組織への影響を小さくでき、低侵襲な手術を行うことができる。
【図面の簡単な説明】
【００４３】
【図１】実施形態１に係る照明装置の斜視図である。
【図２】照明装置の正面図である。
【図３】照明装置の縦断面図である。
【図４】図３のIV−IV線断面図である。
【図５】直線状態にある可撓管及び被覆材の断面図である。
【図６】湾曲状態にある可撓管及び被覆材の断面図である。
【図７】トロッカーを穿刺した患者の腹部の断面図である。
【図８】照明装置を把持具を用いて腹腔に挿入した状態の図７相当図である。
【図９】照明装置を腹腔内の生体組織に固定した状態の図７相当図である。
【図１０】複数の照明装置を腹腔内の生体組織に固定した状態を説明する図である。
【図１１】実施形態１の変形例に係る図３相当図である。
【図１２】実施形態２に係る図２相当図である。
【図１３】実施形態２に係る照明装置の右側面図である。
【図１４】実施形態２に係る把持具の斜視図である。
【図１５】実施形態２に係る照明装置を案内具により腹腔に挿入する途中の状態を示す図７相当図である。
【図１６】実施形態２に係る図９相当図である。
【図１７】変形例に係る図２相当図である。
【図１８】実施形態３に係る照明装置の側面図である。
【図１９】図１８のXIX−XIX線断面図である。
【図２０】実施形態３に係る照明装置を患者に固定した状態を説明する図である。
【図２１】実施形態３に係る照明装置の使用状態を説明する図である。
【図２２】実施形態４に係る照明装置の斜視図である。
【図２３】実施形態４の変形例に係る図２２相当図である。
【図２４】実施形態４に係る照明装置の使用状態を説明する図である。
【図２５】実施形態４に係る照明装置の別の使用状態を説明する図である。
【図２６】実施形態４に係る照明装置のさらに別の使用状態を説明する図である。
【図２７】実施形態４の変形例に係る図２２相当図である。
【図２８】実施形態５に係る照明装置の斜視図である。
【図２９】実施形態６に係る照明装置の斜視図である。
【図３０】実施形態６に係る照明装置の使用状態を説明する図である。
【図３１】実施形態７に係る照明装置の側面図である。
【図３２】実施形態８に係る照明装置の斜視図である。
【図３３】実施形態８に係る照明装置の使用状態を説明する図である。
【図３４】複数の照明装置がそれぞれ有するカメラで腹部を撮影した場合に得られる画像を示す図である。
【発明を実施するための形態】
【００４４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４５】
《発明の実施形態１》
図１は、本発明の実施形態１に係る照明システム１（図８に示す）を構成する照明装置２を示している。この照明システム１は、例えば、腹腔鏡下手術で用いられるものであり、照明装置２の他に、照明装置２を把持する把持具３を備えている。
【００４６】
照明装置２は、図２や図３に示すように、照明部１０と、照明部１０を腹腔Ｓ内で生体組織に固定するための固定用の針（固定部）１１と、腹腔Ｓ内の照明部１０を外部に取り出すための取り出し部材１２とを備えている。
【００４７】
図４に示すように、照明部１０は、複数の白色発光ダイオード１５が実装された発光ダイオード実装基板１６と、図３に示す電池１７と、断熱材１８と、これら発光ダイオード実装基板１６、電池１７及び断熱材１８を収容するケース１９とを備えている。ケース１９は、円筒状とされており、外径は、１０ｍｍ以下に設定され、軸方向の寸法は、２０ｍｍ以下に設定されている。尚、ケース１９の寸法は上記に限られるものではない。
【００４８】
ケース１９を構成する部材は、生体への影響が殆ど無い材料であれば特に限定されない。ケース１９の長手方向一端部には、閉塞板部１９ａが設けられている。ケース１９の長手方向他端部には、レンズ２０が設けられている。レンズ２０の外面は、ケース１９の外方へ向けて湾曲している。電池１７は、ケース１９内の閉塞板部１９ａ側に配設されている。電池１７は、周知のボタン電池である。電池１７の寿命は、発光ダイオード１５の点灯時間が２〜５時間程度となるように設定されており、従って、照明部１０は１回使用された後に廃棄される、所謂、使い捨てタイプとなっている。
【００４９】
一方、発光ダイオード実装基板１６は、ケース１９内のレンズ２０側の端部近傍に配設されており、ケース１９の断面形状に対応した円板形状となっている。発光ダイオード実装基板１６のレンズ２０側の面には、図４に示すように、発光ダイオード１５が縦横に並ぶように設けられている。発光ダイオード１５の数や位置は、図４に示す以外にも任意に設定することができ、例えば、１つの発光ダイオード１５を発光ダイオード実装基板１６の中心近傍に配設してもよい。また、白色発光ダイオード１５以外にも赤色発光ダイオード、緑色発光ダイオード及び青色発光ダイオードを設けて、生体組織を観察し易い波長の光を発するようにしてもよい。また、近赤外光を発する発光ダイオードを設けることも可能である。
【００５０】
発光ダイオード実装基板１６には、発光ダイオード１５へ供給する電力を制御する制御回路２１が設けられており、制御回路２１には、配線２３を介して電池１７が接続されている。また、ケース１９には、発光ダイオード１５への電力供給を開始するための点灯スイッチ２２が設けられている。点灯スイッチ２２は、ケース１９の外方に臨むように配設されており、ケース１９の外面からは突出しないようになっている。点灯スイッチ２２は、制御回路２１に接続されている。制御回路２１は、点灯スイッチ２２が操作されたことを検出すると、発光ダイオード１５に対し電力の供給を開始するように構成された周知のものである。
【００５１】
断熱材１８は、ケース１９内の発光ダイオード実装基板１６と電池１７との間に配設されている。断熱材１８は、樹脂の発泡材等で構成することができるが、これに限られるものではない。
【００５２】
針１１は、ケース１９の閉塞板部１９ａの中心部からケース１９外方へ真っ直ぐに突出している。また、取り出し部材１２は、紐１２ａと、小片部材１２ｂとで構成されている。紐１２ａの基端部は、針１１の基端部に結び付けられている。小片部材１２ｂは、紐１２ａの先端部に取り付けられている。紐１２ａの長さは、例えば３００ｍｍ程度に設定されており、照明部１０を腹腔Ｓ内の生体組織に固定した状態で、紐１２ａの先端側が外部まで延び、小片部材１２ｂが腹腔Ｓの外部に出るようになっている。尚、紐１２ａの代わりに糸やワイヤー等を用いてもよい。また、小片部材１２ｂの形状は各図に示すものに限られない。
【００５３】
把持具３は、図５に示す可撓管３０と、可撓管３０の外周面を被覆する被覆材３１と、可撓管３０を湾曲させる操作部（図示せず）と、把持ワイヤー４２（図８に示す）を備えている。可撓管３０の先端側の所定範囲には、管状をなすように構成された湾曲機構３２が設けられている。この湾曲機構３２の先端部には、先端管部３３が設けられている。
【００５４】
上記湾曲機構３２は、複数の環状部材３４、３４、…を中心線方向に並べて構成されている。各環状部材３４の周壁部には、可撓管３０の中心線方向に突出する２つの突片３４ａが周方向に約１８０゜離れて形成されている。これら突片３４ａが、隣接する環状部材３４の周壁部に対し、該周壁部を貫通する方向に延びるピン３５により連結されている。環状部材３４は、このピン３５の中心線周りに回動するようになっている。環状部材３４の周壁部は、突片３４ａから周方向に離れるに従って中心線方向の寸法が短くなるテーパー形状をなしている。これにより、隣り合う環状部材３４、３４の間には、突片３４ａから周方向に離れるに従って大きくなる隙間Ｔが形成される。このように隣り合う環状部材３４、３４の間に隙間Ｔが形成されることによって、各環状部材３４は、隣り合う環状部材３４に対し回動可能となる。隙間Ｔの大きさは、図６に示すように、可撓管３０の先端側がＵ字状となるまで、即ち、先端管部３３が可撓管３０の基端側へ向くまで、湾曲するように設定されている。
【００５５】
また、湾曲機構３２における可撓管３０の基端部に位置する環状部材３４は、上記と同じピン３５を介して可撓管３０の本体部分３０ａに回動可能に連結されている。また、先端管部３３にも突片３３ａが２つ設けられており、これら突片３３ａが湾曲機構３２の先端部に位置する環状部材３４にピン３５によって回動可能に連結されている。
【００５６】
図５に示すように、可撓管３０の内部には、該可撓管３０の先端部から基端部に亘って中心線と略平行に延びる第１操作ワイヤー３６及び第２操作ワイヤー３７が配設されている。第１操作ワイヤー３６及び第２操作ワイヤー３７は、互いに可撓管３０の周方向に１８０゜離れ、かつ、環状部材３４の突片３４ａからは周方向に９０゜離れて配置されている。第１操作ワイヤー３６及び第２操作ワイヤー３７の基端部は、操作部が有する一対の巻き取り軸にそれぞれ連結されている。
【００５７】
各環状部材３４の内周面には、第１及び第２操作ワイヤー３６、３７がそれぞれ挿通する中空状の第１及び第２ワイヤーガイド３８、３９が、該操作ワイヤー３６、３７の配設位置に対応して設けられている。また、可撓管３０の本体部分３０ａの内周面にも、同様に第１及び第２ワイヤーガイド３８、３９が設けられている。さらに、先端管部３３の内周面には、第１及び第２操作ワイヤー３６、３７の先端部がそれぞれ固定される第１及び第２ワイヤー固定部材４０、４１が、該操作ワイヤー３６、３７の配設位置に対応して設けられている。
【００５８】
そして、第１操作ワイヤー３６を操作部の巻き取り軸で巻き取るとともに、第２操作ワイヤー３７を緩めると、湾曲機構３２が図６に示すように湾曲する。一方、第１操作ワイヤー３６を緩めるとともに、第２操作ワイヤー３７を巻き取り軸に巻き取ると、湾曲機構３２が反対側に湾曲する。湾曲機構３２の湾曲度合いは、第１及び第２操作ワイヤー３６、３７の巻き取り量によって任意に調整できる。
【００５９】
上記被覆材３１は、柔軟性を有する樹脂材で構成され、可撓管３０の基端部から先端部に亘って外周面に密着するように形成されている。可撓管３０と被覆材３１とは一体化している。この被覆材３１の柔軟性は、可撓管３０の湾曲機構３２の湾曲動作を阻害しない程度に設定されている。
【００６０】
また、把持ワイヤー４２は、照明装置２を把持するためのものであり、可撓管３０の内部に挿通している。把持ワイヤー４２の先端部は輪を形成するようになっており、可撓管３０の先端部から突出している。この把持ワイヤー４２の先端部によって照明装置２を把持する。また、把持ワイヤー４２の基端部は、可撓管３０の基端部から突出するようになっており、術者が引っ張ることができるようになっている。
【００６１】
次に、上記のように構成された照明システム１を使用する場合について説明する。まず、図７に示すように、手術を受ける患者の腹部Ｃには、トロッカーＡを穿刺する。トロッカーＡの数は４つである。その後、炭酸ガスをトロッカーＡを介して腹腔Ｓに導入して腹部Ｃを膨らませる。
【００６２】
しかる後、照明装置２を把持具３の把持ワイヤー４２で把持する。すなわち、把持ワイヤー４２の先端の輪となっている部分を照明装置２のケース１９の外周に掛けて、把持ワイヤー４２の基端部を引っ張ると、照明装置２が把持ワイヤー４２の輪の部分と可撓管３０の先端部とで挟まれて把持される。このとき照明装置２の点灯スイッチ２２はＯＮにしておく。
【００６３】
次いで、図８に示すように、照明装置２をトロッカーＡから腹腔Ｓ内へ挿入していく。このとき、把持ワイヤー４２による把持力を弱めることで照明装置２の向きを変えることができるので、照明装置２をトロッカーＡに挿入し易い向き、即ち、照明装置２の軸方向がトロッカーＡの軸方向と略一致する方向にする。このようにして照明装置２を腹腔Ｓ内に挿入した後、図９に示すように、可撓管３０を湾曲させ、針１１の先端が生体組織に刺さるように照明装置２の向きを変える。また、照明装置２の挿入時には、取り出し部材１２の先端側をトロッカーＡから外部に出しておく。
【００６４】
そして、照明装置２を生体組織に押し付けるための押し付け具ＢをトロッカーＡから腹腔Ｓ内に挿入し、押し付け具Ｂの先端部を照明装置２に当てて、照明装置２を生体組織に押し付ける。これにより、針１１が生体組織に刺さって固定された状態となる。
【００６５】
その後、把持ワイヤー４２を緩めて可撓管３０をトロッカーＡから抜き、押し付け具ＢもトロッカーＡから抜く。
【００６６】
また、図１０に示すように、照明装置２は、別のトロッカーＡからも腹腔Ｓ内に挿入して生体組織に固定することが可能であり、腹腔Ｓ内の複数箇所に照明装置２を設けることができる。
【００６７】
上記のようにして腹腔Ｓ内に固定された照明装置２により、腹腔Ｓ内が照明されるので、広範囲に亘って十分な明るさを確保することが可能になり、内視鏡による観察を確実に、かつ、スピーディに行えるようになる。
【００６８】
照明装置２の照明中には、発光ダイオード１５から熱が発生するが、その量はフィラメントを有する電球等に比べて極めて少ないため、熱によって生体組織が悪影響を受けることは殆どない。また、発光ダイオード１５と針１１との間には、断熱材１８が介在しているので、発光ダイオード１５の熱は針１１へ殆ど伝わらない。このことによっても、熱によって生体組織が悪影響を受けるのを回避することが可能になる。
【００６９】
手術を終える際には、照明装置２を例えば鉗子等で掴んで引っ張ることで針１１を生体組織から抜き、トロッカーＡから取り出す。このとき、照明装置２に取り出し部材１２が設けられているので、取り出し部材１２を引っ張ることで容易に取り出すことが可能である。また、取り出し部材１２がトロッカーＡから外部に出ているので、照明装置２が腹腔Ｓ内に残っていることの目印となり、照明装置２の取り出し忘れを防止できる。尚、取り出した後の照明装置２は廃棄処分される。さらに、取り出し部材１２を持っておくことで、照明装置２が腹腔Ｓ内に落下してしまうのを防止できる。
【００７０】
以上説明したように、この実施形態１によれば、発光ダイオード１５を有する照明部１０を針１１によって腹腔Ｓ内の生体組織に固定するようにしたので、腹腔Ｓ内を広範囲に亘って十分な明るさで照明することができ、手技をスムーズに行うことができる。
【００７１】
また、針１１を生体組織に刺すだけで照明部１０を任意の位置に固定することができ、照明部１０の固定作業を容易にすることができる。
【００７２】
また、発光ダイオード１５で照明するようにしたので、十分な明るさが得られる照明部１０をコンパクトにでき、しかも、照明部１０が発生する熱量を少なくして、照明部１０を固定したことによる生体組織への影響を小さくでき、低侵襲な手術を行うことができる。
【００７３】
また、照明部１０の発光ダイオード１５と針１１との間に断熱材１８を設けたので、発光ダイオード１５で発生する熱が生体組織に伝わり難くなる。これにより、生体組織に熱による影響を殆ど与えずに済むので、より一層低侵襲な治療を行うことができる。
【００７４】
また、生体外へ延びるように形成された取り出し部材１２を備えているので、腹腔Ｓ内に照明部１０を固定している場合に、取り出し部材１２を引っ張ることで照明部１０を腹腔Ｓ内から容易に取り外すことができる。また、取り出し部材１２が生体外に延びているので、照明部１０が腹腔Ｓ内に残っていることの目印として機能し、照明部１０が腹腔Ｓ内に残されたままとなるのを防止でき、医療行為の安全性を高めることができる。
【００７５】
また、照明装置２を把持する把持具３を備えているので、照明装置２を把持具３で把持して腹腔Ｓ内に容易に導入することができる。
【００７６】
また、照明装置２が電池１７を内蔵しているので、照明部１０の発光ダイオード１５に外部から電力を供給するための配線やコネクタ等を不要にでき、腹腔Ｓ内への固定作業性を良好にできる。
【００７７】
また、複数の照明装置２を腹腔Ｓ内に固定することで、観察部位を多方向から照明することができるので、観察部位に影が生じにくくなる。
【００７８】
また、図１１に示す変形例のように、照明装置２には、カメラ（撮影部）４５を取り付けてもよい。照明装置２には、カメラ４５で撮影された画像の信号を図示しない画像表示装置に送るための信号線４６が設けられている。この照明装置２により、腹腔Ｓ内を照明しながら撮影することが可能になり、手技に役立つ鮮明な画像を得ることができる。カメラ４５の画角は、５０゜〜８０゜程度が好ましく、画素数は、３００万〜５００万画素程度が好ましいが、この範囲に限られるものではない。カメラ４５は赤外光にも対応したタイプが好ましい。また、カメラ４５はＣＣＤ(charge-coupled device)を用いた走査型とするのが好ましいが、これに限られるものではない。
【００７９】
尚、上記実施形態では、照明システム１は把持具３を備えているが、この把持具３は省略してもよい。また、複数の照明装置２、２、…をセットにして照明システム１を構成してもよい。この場合、各照明装置２の明るさや光の波長を変えてもよい。
【００８０】
《発明の実施形態２》
図１２は、本発明の実施形態２に係る照明装置２を示している。この実施形態２に係る照明システム１（図１５に示す）は、照明装置２を把持する把持具５０の構造と、案内具５１を備えている点で実施形態１のものと異なっている。以下、実施形態１と同じ部分には同じ符号を付して説明を省略し、異なる部分を詳細に説明する。
【００８１】
図１４に示すように、実施形態２の把持具５０は、棒材で構成された本体部５０ａと、本体部５０ａの先端部に設けられたＣ字状部５０ｂとを備えている。Ｃ字状部５０ｂの周方向中心部が本体部５０ａに固定されている。本体部５０ａ及びＣ字状部５０ｂは可撓性を有する柔軟な樹脂で構成されている。
【００８２】
また、図１２及び図１３に示すように、照明装置２のケース１９の外面には、把持具５０のＣ字状部５０ｂが嵌るように周方向に延びる溝１９ｂと、この溝１９ｂの長手方向中央部に連続してケース１９の軸方向に延び、本体部５０ａが嵌る溝１９ｃとが形成されている。溝１９ｂは、ケース１０の針１１に近い側に位置している。溝１９ｃは、レンズ２０まで延びている。そして、溝１９ｂに把持具５０のＣ字状部５０ｂを嵌めるとともに、溝１９ｃに本体部５０ａを嵌めることにより、照明装置２が把持具５０に把持されるようになっている。このとき、針１１は、把持具５０の本体部５０ａとは反対側に突出することになる。
【００８３】
また、図１５に示す案内具５１は、実施形態１の把持具３の可撓管３０、被覆材３１及び操作部と同様に構成された可撓管、被覆材及び操作部（全て図示せず）とからなるものである。可撓管の内径は、照明装置２の外径よりも大きく設定されており、可撓管の内部には、可撓管の軸方向に延びるように向いた照明装置２が挿通するようになっている。
【００８４】
次に、図１５及び図１６を参照しながら、実施形態２の照明システム１を使用する場合について説明する。まず、案内具５１をトロッカーＡから腹腔Ｓ内に挿入し、さらに、照明装置２を把持具５０で把持する。そして、術者は、把持具５０の本体部５０ａを持って照明装置２を可撓管に挿入していく。
【００８５】
しかる後、図１６に示すように、可撓管を湾曲させて可撓管の先端部を、生体組織に対向させ、把持具５０の本体部５０ａを可撓管の挿入方向へ押すと、その力が照明装置２に伝わっての照明装置２の針１１が生体組織に刺さる。これにより、照明装置２が固定される。このとき、取り出し部材１２を可撓管の基端部から外部に出しておく。
【００８６】
照明装置２を固定した後、案内具５１をトロッカーＡから抜く。そして、例えば鉗子等をトロッカーＡから腹腔Ｓへ挿入し、把持具５０の本体部５０ａ及びＣ字状部５０ｂを掴んで照明装置２の溝１９ｂ、１９ｃから外し、把持具５０をトロッカーＡから抜く。
【００８７】
したがって、この実施形態２によれば、実施形態１の同様に、腹腔Ｓ内を広範囲に亘って十分な明るさで照明することができ、手技をスムーズに行うことができる。
【００８８】
また、照明装置２を腹腔Ｓ内に案内する案内具５１を備えているので、照明装置２を腹腔Ｓ内に容易に導入でき、照明装置２の固定作業性を良好にできる。
【００８９】
上記実施形態１、２の照明装置２は、胸腔鏡下手術においても同様にして胸腔内に固定して使用可能である。
【００９０】
尚、図１７に示す変形例のように、上記実施形態１、２の照明装置２の針１１の先端部に抜け止め部１１ａを設けてもよい。この抜け止め部１１ａは、針１１の先端部から径方向に突出する形状となっており、針１１が生体組織に刺さった状態で生体組織に食い込み、これにより、針１１の抜けが阻止されるようになっている。
【００９１】
《発明の実施形態３》
図１８は、本発明の実施形態３に係る照明システム１を示している。この実施形態３に係る照明装置５４は、照明部５５を、患者Ｃの切開部を保護する保護具６０に取り付けるようにした点で、実施形態１、２のものと異なっている。以下、実施形態１、２と同じ部分には同じ符号を付して説明を省略し、異なる部分について詳細に説明する。
【００９２】
すなわち、この実施形態の照明システム１は、図２０に示すように、左右一対の照明装置５４で構成されている。照明装置５４は、照明部５５と保護具（固定部）６０とを備えている。図１９に示すように、照明部５５は、針を有しておらず、保護具６０の表側に貼り付けられるようになっている。また、照明装置５４は、矩形箱状のケース５３を備えており、内部には、発光ダイオード１５が実装された矩形の発光ダイオード実装基板（図示せず）、制御回路（図示せず）、電池（図示せず）が設けられている。また、ケース５３には点灯スイッチ（図示せず）が設けられている。
【００９３】
保護具６０は、胸部や腹部を手術する際に、体表側組織が切開されて形成された切開部Ｄ（図２０に示す）を保護するためのものである。保護具６０は、図１９に示すように、樹脂製の中間シート６１と、この中間シート６１の表側に配置される第１吸液材６２と、第１吸液材６２を中間シート６１との間で保持する第１布材６３と、上記中間シート６１の裏側に配置される基材６４と、第２吸液材６６と、該第２吸液材６６を保持する第２布材６７とを備えている。また、上記第２布材６７の裏側には、上記基材６４から離れた部位に粘着剤６８と、該粘着剤６８を覆う剥離シート６９とが設けられている。
【００９４】
上記中間シート６１は、ポリエチレンからなる矩形の半透明フィルムで構成されている。中間シート６１の長手方向の寸法は約２１０ｍｍとされ、幅方向の寸法は約１５０ｍｍとされている。図１８に示すように、中間シート６１の４つの隅は曲線で構成されている。尚、この中間シート６１は、ポリウレタン、ポリ塩化ビニル等で構成してもよく、また、これら樹脂材を積層した多層構造のフィルムで構成してもよい。
【００９５】
上記第１吸液材６２は、水膨潤性繊維で構成されている。この水膨潤性繊維としては、アクリル繊維の内層と吸水性樹脂からなる外層とで構成された東洋紡績株式会社製のランシールを用いることができる。この水膨潤性繊維の吸水速さは、水に接触すると約１０秒で平衡吸水量の約５０％以上を吸水する速さである。また、この水膨潤性繊維は、吸水した後は、多少の圧力を加えても離水せず、また、水には溶けない性質を持っている。さらに、この水膨潤性繊維の吸水後の繊維径は、吸水前の繊維径の約５倍以上に拡大する一方、繊維の長さ方向の寸法は、アクリル繊維で維持されて吸水前後で殆ど変化しない。また、水膨潤性繊維の繊維物性はアクリル繊維で維持されているので、外層の吸水樹脂が吸水しても殆ど低下しないようになっている。尚、第１吸液材６２は、綿やレーヨン等からなるガーゼで構成してもよいし、これら綿やレーヨンに上記水膨潤性繊維を混合した不織布や、綿やレーヨンに水膨潤性繊維を積層した積層体で構成してもよい。
【００９６】
上記第１布材６３は、水の透過性を有する不織布で構成されている。この第１布材６３を構成する不織布は、熱を加えることにより樹脂材に溶着するヒートシール性を有している。
【００９７】
上記粘着剤６８は、人間の皮膚への貼り付け用として一般に用いられているアクリル系、シリコーン系、ポリウレタン系やゴム系のものである。
【００９８】
上記剥離シート６９は、樹脂製シートや紙等をシリコーン系剥離剤等で剥離処理したものである。剥離シート６９を樹脂製シートで構成する場合には、例えばポリエチレンテレフタラートフィルムやポリプロピレンフィルム等を用いることができ、一方、紙で構成する場合には、グラシン紙、クレーコート紙、ラミネート紙等を用いることができる。
【００９９】
上記基材６４は、多数の樹脂製線材を網状に組み合わせてなり、平面視で上記第１吸液材６２と略同じ形状とされている。各線材は、曲げた際に途中で切れることなく、かつその曲げた形状を保持する形状保持性を有する樹脂材で構成されている。この樹脂材としては、例えば、ポリエチレン、ポリプロピレン、ポリエステル、ナイロン等を使用することができるが、この実施形態では、これら樹脂材の中で形状保持性が最も優れているポリエチレンを使用している。
【０１００】
上記第２吸液材６６及び第２布材６７は、上記第１吸液材６２及び第１布材６３とそれぞれ同じものである。
【０１０１】
また、上記保護具６０は、図示しないが、透湿性がない樹脂製のフィルムからなる袋に滅菌用の紙と一緒に収容された状態で保管されるようになっている。このため、第１吸液材６２及び第２吸液材６６が保管中に空気中の水分を吸収して吸液能力が低下するのを防止することができる。
【０１０２】
次に、この実施形態３の照明システム１を使用する場合について説明する。図２０及び図２１に示すように、切開部Ｄを開いた後、保護具６０を、その第２布材６７が切開部Ｄ側となるように向けてから、該切開部Ｄの辺縁に沿うように曲げ、該保護具６０によって切開部Ｄの辺縁を覆う。その後、剥離シート６９を粘着剤６８から剥がして貼着部６８を皮膚の表面に密着させる。これにより、保護具６０が患者に固定される。また、照明部５５が胸腔や腹腔Ｓ内に配置されることになる。この照明部５５の向きは、発光ダイオード１５からの光が胸腔や腹腔Ｓの奥に届くように設定しておく。尚、照明部５５の数は任意に設定することができる。
【０１０３】
上記のように、切開部Ｄの辺縁を保護具６０で覆うことにより、切開部Ｄに病原菌等が付着し難くなって、感染の虞れが低くなる。
【０１０４】
また、手術中に切開部Ｄから出血した血液や滲出した体液等は第２布材６７を通過して第２吸液材６６によって吸収される。
【０１０５】
したがって、この実施形態３によれば、胸部や腹部を開放して行う一般の手術の場合に、胸腔や腹腔Ｓの奥の方に向けて光が届くように発光ダイオード１５の向きを設定して照明部５５を生体組織に固定することにより、胸腔及び腹腔Ｓ内を広範囲に亘って十分な明るさで照明することができ、手技をスムーズに行うことができる。
【０１０６】
また、照明部５５を保護具６０に取り付けるようにしたので、実施形態１、２のように生体組織に針１１を刺す必要はなく、照明部５５を低侵襲に固定することができる。
【０１０７】
また、実施形態３の照明装置５４に、実施形態１、２の照明装置２を組み合わせて照明システムを構成してもよい。また、実施形態３の照明装置５４に実施形態１の変形例のようなカメラを設けることもできる。
【０１０８】
《発明の実施形態４》
図２２は、本発明の実施形態４に係る照明装置７０を示しており、この照明装置７０は、照明部７２を板部材７１に取り付けるようにした点で、実施形態１のものと異なっている。以下、実施形態１と同じ部分には同じ符号を付して説明を省略し、異なる部分について詳細に説明する。
【０１０９】
すなわち、照明装置７０は、照明部７２と板部材７１とを備えている。照明部７２は、箱状をなしている。照明部７２には、図示しないが、発光ダイオード実装基板、電池及び断熱材が収容されている。発光ダイオード実装基板は、照明部７２の表面に臨むようにして配置されており、発光ダイオード１５の光の照射方向が照明部７２の外方へ向くように設定されている。
【０１１０】
板部材７１を構成する材料としては、例えば、生体への影響が殆ど無い材料であればよく、例えば、ステンレス鋼やアルミニウム合金等が挙げられる。この板部材７１は、術者が手で曲げることができる程度の剛性を有しており、曲がった形状が保たれるようになっている。板部材７１の厚みは、例えば０．５ｍｍ〜２．０ｍｍ程度が好ましいが、これに限られるものではない。
【０１１１】
照明部７２は、板部材７１の表面に貼り付けられている。照明部７２の貼り付け位置は、図２３に示す変形例のように板部材７１の長手方向中間部であってもよく、任意に設定できる。
【０１１２】
また、照明部７２で発生した熱は、板部材７１に伝わって放熱されるようになっている。すなわち、板部材７１は、照明部７２の放熱部材としても機能する。
【０１１３】
上記照明装置７０の使用時には、例えば、図２４に示すように板部材７１を屈曲させて、板部材７１の長手方向両端部に水平部分を形成するとともに、長手方向中間部が上方へ盛り上がるように形成する。そして、患者の腹部を切開した後、照明装置７０を腹腔に入れて板部材７１の水平部分を内部の生体組織の上に置く。これにより、照明装置７０が腹部内に設置された状態となり、照明部７２の光によって腹腔内が照明される。照明部７２の光の照射方向は、板部材７１の形状によって任意に設定することが可能である。
【０１１４】
以上説明したように、この実施形態４によれば、発光ダイオード１５を有する照明部７２を腹腔内に設置することができるので、腹腔内を広範囲に亘って十分な明るさで照明することができ、手技をスムーズに行うことができる。
【０１１５】
板部材７１は、芯材をステンレス鋼やアルミニウム合金等の金属材で構成し、その芯材を樹脂材で被覆した多層構造であってもよい。また、板部材７１は形状記憶合金であってもよい。
【０１１６】
また、図２５の左側に示すように、板部材７１を、腹部Ｃの表面側から開口縁部を経て腹腔Ｓ内に達するように折り曲げることにより、照明部７２を腹腔Ｓ内の開口縁部近傍に固定するようにしてもよい。この場合は、板部材７１が固定部となる。
【０１１７】
また、図２５の右側に示すように、板部材７１を曲げることなく使用することもできる。板部材７１は、術者や助手が把持する取っ手となり、この板部材７１を持って照明部７２を腹腔Ｓに導入することができる。
【０１１８】
また、図２６に示すように、板部材７１の３箇所を曲げて使用することもできる。また、板状部７１の２箇所、又は４箇所以上を曲げてもよいし、湾曲させてもよい。
【０１１９】
また、板部材７１には、生体用の接着部材を設けてもよい。接着部材としては、例えば両面テープ等が挙げられ、両面テープを用いる場合には、剥離紙を剥がし易くするために、剥離紙の角のあたる部分を板部材７１から浮かすようにするのが好ましい。また、板部材７１に接着剤を塗布するようにしてもよい。
【０１２０】
また、図２７に示す変形例のように、照明部７２と板部材７１との間に断熱材７３を設けるようにしてもよい。これにより、照明部７２で発生した熱が板部材７１に直接伝わらなくなり、患者への熱の影響を少なくできる。また、この変形例では、照明部７２から延びる配線７４ａ，７４ａを板部材７１に埋め込んでいる。配線７４ａ，７４ａは、板部材７１における照明部７２と反対側の端部まで延びている。配線７４ａ，７４ａの照明部７２と反対側の端部には、コネクタピン７４ｂ，７４ｂがそれぞれ設けられている。コネクタピン７４ｂ，７４ｂには、外部電源装置が接続されるようになっている。
【０１２１】
《発明の実施形態５》
図２６は、本発明の実施形態５に係る照明装置７５を示しており、この照明装置７５は、照明部７７を固定板（固定部）７６に取り付けるようにした点で、実施形態１のものと異なっている。以下、実施形態１と同じ部分には同じ符号を付して説明を省略し、異なる部分について詳細に説明する。
【０１２２】
すなわち、照明装置７５は、照明部７７と固定板７６とを備えている。照明部７７には、図示しないが、実施形態４と同様に、発光ダイオード実装基板、電池及び断熱材が収容されている。
【０１２３】
固定板７６は、実施形態４の板部材７１と同様な材料を矩形状に成形してなる。固定板７６の周縁部には、複数の貫通孔７６ａ、７６ａ、…が周方向に間隔をあけて形成されている。これら貫通孔７６ａには、手術用の糸７８が挿通するようになっている。尚、固定板７６の形状は、例えば円形であってもよい。
【０１２４】
照明部７７は、固定板７６の表面に貼り付けられている。照明部７７の貼り付け位置は、固定板７６の周縁部近傍であってもよく、任意に設定できる。
【０１２５】
上記照明装置７５の使用時には、患者の腹部を切開した後、照明装置７５を腹腔に入れて固定板７６を内部の生体組織に当てる。そして、固定板７６の貫通孔７６ａに糸７８を挿通して生体組織に縫い付ける。これにより、照明装置６５が固定された状態となり、照明部７７の光によって腹腔内が照明される。照明部７７の光の照射方向は、固定板７６を固定する部位によって任意に設定することが可能である。
【０１２６】
以上説明したように、この実施形態５によれば、発光ダイオード１５を有する照明部７７を腹腔内に設置することができるので、腹腔内を広範囲に亘って十分な明るさで照明することができ、手技をスムーズに行うことができる。
【０１２７】
固定板７６には、上記実施形態４の板部材７１と同様に、両面テープ等からなる生体用の接着部材を設けてもよいし、接着剤を塗布してもよい。
【０１２８】
《発明の実施形態６》
図２７は、本発明の実施形態６に係る照明装置７９を示しており、この照明装置７９は、照明部１０の固定構造が実施形態１のものと異なっている。以下、実施形態１と同じ部分には同じ符号を付して説明を省略し、異なる部分について詳細に説明する。
【０１２９】
すなわち、照明装置７９は、ワイヤー８１及び針８２からなる固定部８０と、実施形態１の照明部１０とを備えている。ワイヤー８１の基端は、ケース１９の閉塞板部１９ａに固定されている。針８２は、ワイヤー８１の先端に固定されている。ワイヤー８１の長さは、１００ｍｍ以上が好ましい。ワイヤー８１はステンレス鋼等が好ましい。
【０１３０】
上記照明装置７９の使用時には、図２８に示すように、まず、患者の腹部Ｃを切開した後、照明装置７９を腹腔Ｓに入れた後、針８２を腹腔Ｓから体表側へ向けて生体組織に刺して該生体組織を貫通させる。その後、体表側で針８２をワイヤー８１から切り離す。そして、図示しないが、ワイヤー８１を体表側で結んで結び目を形成する。この結び目によってワイヤー８１の抜けが阻止されて、照明部１０が固定された状態となり、照明部１０の光によって腹腔Ｓ内が照明される。ワイヤー８１に結び目を形成する代わりに、ワイヤー８１を鉗子等で挟んで保持するようにしてもよい。
【０１３１】
以上説明したように、この実施形態６によれば、発光ダイオード１５を有する照明部１０を腹腔Ｓ内に固定することができるので、腹腔Ｓ内を広範囲に亘って十分な明るさで照明することができ、手技をスムーズに行うことができる。
【０１３２】
尚、ワイヤー８１の代わりに糸や紐を用いてもよい。
【０１３３】
《発明の実施形態７》
図２９は、本発明の実施形態７に係る照明装置８４を示しており、この照明装置８４は、照明部８７を台８５に取り付けるようにした点で実施形態１のものと異なっている。以下、実施形態１と同じ部分には同じ符号を付して説明を省略し、異なる部分について詳細に説明する。
【０１３４】
すなわち、照明装置８４は、照明部８７と、台８５とを備えている。台８５は、実施形態４の板部材７１と同様な材料を厚肉な板状に成形してなり、照明部８６が取り付けられる取付部材８６を有している。照明部８６は取付部材８６の任意の部位に取り付けることができるようになっている。
【０１３５】
上記照明装置８４の使用時には、患者の腹部を切開した後、照明装置８４を腹腔に入れて台８５を内部の生体組織の上に置く。これにより、照明装置８４が設置された状態となり、照明部８７の光によって腹腔内が照明される。照明部７７の光の照射方向は、台８５を置く部位によって任意に設定することが可能である。
【０１３６】
以上説明したように、この実施形態７によれば、発光ダイオード１５を有する照明部８７を腹腔内に設置することができるので、腹腔内を広範囲に亘って十分な明るさで照明することができ、手技をスムーズに行うことができる。
【０１３７】
《発明の実施形態８》
図３０は、本発明の実施形態８に係る照明装置９１を示しており、この照明装置９１は操作部としての棒材８９と、実施形態１の照明部１０とを備えている。棒材８９の基端は、ケース１９の閉塞板部１９ａに対し、脱着機構９０を介して取り外し可能に固定されている。棒材８９の長さは、５００ｍｍ以上が好ましい。また、棒材８９は、可撓性を有しており、照明部１０を手術を受ける患者の体内へ導入する操作を行うためのものである。
【０１３８】
上記照明装置９１は、内視鏡を用いて消化器官を観察する場合及び内視鏡を用いながら消化器官を手術する場合に使用する。図３１に示すように、この照明装置９１を使用する際には、まず、ガイドチューブＥを患者の口から食道へ向けて挿入する。その後、術者が棒材８９を持ち、照明部１０をガイドチューブＥに挿入していき、消化器官としての胃Ｄへ導入する。照明部１０の位置は、棒材８９を操作することによって簡単に変更することが可能となっている。照明部１０は食道内を照明することもできる。
【０１３９】
以上説明したように、この実施形態８によれば、発光ダイオード１５を有する照明部１０を消化器官まで導入することができ、消化器官内を広範囲に亘って十分な明るさで照明することができ、手技をスムーズに行うことができる。
【０１４０】
また、図示しないが、各照明装置２の制御回路２１には、電池１７の残量を検出する電池残量検出部と、送受信器と、発光ダイオード１５の明るさをコントロールするコントロール部とを設けてもよい。送受信器は、他の照明装置２の送受信器と無線通信可能に構成されている。送受信器の通信形態としては特に限定されず、例えば、可視光通信であってもよい。
【０１４１】
送受信器は、電池残量検出部により電池残量が低下したことが検出されると、その信号を送信するようになっている。従って、複数の照明装置２を用いる場合に、例えば、そのうちの１つの照明装置２の電池残量が低下した場合には、そのことが電池残量検出部により検出されて、電池残量低下信号が送受信器により他の照明装置２に送信される。電池残量低下信号を受信した照明装置２は、コントロール部により発光ダイオード１５の明るさを高める。これにより、電池残量が低下した照明装置２の明るさが低下するのを他の照明装置２で補うことができる。また、電池残量が低下した場合に光や音等で報知する報知部を設けてもよい。
【０１４２】
また、制御回路２１が送受信器を備えている場合には、カメラ４５で撮影された画像の信号を無線で外部の画像表示装置（図示せず）に送信して表示させることも可能である。この画像表示装置には、複数の照明装置２のカメラ４５の画像信号が入力されるようになっている。画像表示装置には、これらカメラ４５で撮影された画像を処理する画像処理部が設けられている。画像処理部は、各カメラ４５で撮影した画像をつなぎ合わせて広範囲画像を合成して出力するように構成されている。合成した画像を図３２に示す。同図に示す領域Ｘ１は、患者の腹部の右上領域を撮影したカメラ４５の画像であり、領域Ｘ２は、腹部の左上領域を撮影したカメラ４５の画像であり、同様に、領域Ｘ３及びＸ４は、それぞれ、腹部の右下領域及び左下領域を撮影したカメラ４５の画像である。各カメラ４５で実際に撮影した領域は、それぞれ、Ｘ１〜Ｘ４よりも広めに設定されており、重複している部分は合成時に削除されるようになっている。この図に示すように、胃、小腸及び大腸を一度に見ることができる。領域Ｘ１〜Ｘ４の大きさは互い異なっていてもよい。カメラ４５で胸部を撮影することも可能である。
【０１４３】
また、上記画像処理部では、各カメラ４５で撮影された画像を合成することなくそのまま出力することもできるようになっている。
【０１４４】
尚、発光ダイオード１５は、ケース１９の外周面に設けてもよい。これにより、より広範囲を明るく照らすことが可能になる。
【０１４５】
また、上記実施形態１〜８では、発光ダイオード１５を設けているが、これに限らず、電球や有機ＥＬ（Organic Electro-Luminescence）等の発光体を設けてもよいし、これらを組み合わせてもよい。発光体の種類は上記に限られるものではない。また、発光体には、外部電源装置を接続するようにしてもよい。
【０１４６】
有機ＥＬは光の放射面形状を自由に設定することが可能であるため、有機ＥＬの形状を、例えばケース１９の端面と同じ形状として光の放射面を広く確保してもよいし、ケース１９の外周面に沿う形状として光をケース１９の外周面から放射できるようにしてもよい。
【０１４７】
また、照明装置２、５４、７０、７５、７９、８４、９１だけで手術用照明システムを構成することもできる。
【０１４８】
尚、上記使用方法は例示であり、他の方法で使用することも可能である。
【産業上の利用可能性】
【０１４９】
以上説明したように、本発明に係る照明システムは、例えば、腹腔鏡下手術や胸腔鏡下手術をはじめ、胸部や腹部を切開して開放して行われる手術にも用いることができる。
【符号の説明】
【０１５０】
１            手術用照明システム
１０          照明部
１１          針（固定部）
１２          取り出し部材
１５          発光ダイオード
１７          電池
１８          断熱材
４５          カメラ（撮影部）
５１          案内具
６０          保護具
８５          台
８９          棒材（操作部）
Ａ            トロッカー
Ｄ            切開部
Ｓ            腹腔
【図１】
2010050244.tif 000003
【図２】
2010050244.tif 000004
【図３】
2010050244.tif 000005
【図４】
2010050244.tif 000006
【図５】
2010050244.tif 000007
【図６】
2010050244.tif 000008
【図７】
2010050244.tif 000009
【図８】
2010050244.tif 000010
【図９】
2010050244.tif 000011
【図１０】
2010050244.tif 000012
【図１１】
2010050244.tif 000013
【図１２】
2010050244.tif 000014
【図１３】
2010050244.tif 000015
【図１４】
2010050244.tif 000016
【図１５】
2010050244.tif 000017
【図１６】
2010050244.tif 000018
【図１７】
2010050244.tif 000019
【図１８】
2010050244.tif 000020
【図１９】
2010050244.tif 000021
【図２０】
2010050244.tif 000022
【図２１】
2010050244.tif 000023
【図２２】
2010050244.tif 000024
【図２３】
2010050244.tif 000025
【図２４】
2010050244.tif 000026
【図２５】
2010050244.tif 000027
【図２６】
2010050244.tif 000028
【図２７】
2010050244.tif 000029
【図２８】
2010050244.tif 000030
【図２９】
2010050244.tif 000031
【図３０】
2010050244.tif 000032
【図３１】
2010050244.tif 000033
【図３２】
2010050244.tif 000034
【図３３】
2010050244.tif 000035
【図３４】
2010050244.tif 000036
【国際調査報告】
2010050244.tif 000037
2010050244.tif 000038
2010050244.tif 000039
2010050244.tif 000040
2010050244.tif 000041
2010050244.tif 000042